(57)【要約】【課題】  事前のファイルフォーマットの変換やオンラインストレージへのアップロード作業なしに個々で録画・保存したデータを様々な再生端末でアクセスし、閲覧すること。【解決手段】  個人もしくは法人で所有している外部記憶装置０１１７に保存しているデータファイルにアクセスする移動体クライアント（再生端末）０１１０は解像度調整配信提供基盤０１０１からの利用者識別情報要求に対して利用者識別情報を応答する。解像度調整配信提供基盤０１０１の利用者認証サーバ０１０２は利用者識別情報に基づき外部記憶装置０１１７へのアクセスを許可し、トランスコード機能提供サーバ０１０６は移動体クライアント０１１０の種別に適したファイルフォーマットおよび解像度にデータを変換する。配信サーバ０１０５が変換後データを配信すると、データはセキュリティ暗号化され、閉域網を通して移動体クライアント０１１０へ配信される。【選択図】  図１
2015018318.tif 000002
【特許請求の範囲】
【請求項１】
配信提供装置であって、
利用者の端末の利用者ＩＤ及びパスワードに対して、利用者管理情報、セッション情報を記憶する利用者管理テーブルと、
利用者ＩＤ及び端末識別子に対して、端末の再生フォーマットについてのトランスコード情報を記憶するクライアント種別管理テーブルと、
利用者ＩＤに対して、端末のデバイス情報を記憶するデバイス管理テーブルと、
コンテンツのフォーマットを端末の再生フォーマットへ変換するトランスコード機能を含む処理部と
を備え、
前記処理部は、
端末から利用者ＩＤ及びパスワード及び端末識別子を受信し、
前記利用者管理テーブルを参照し、前記利用者ＩＤ及びパスワードに基づき、利用者を認証し、利用者管理情報及びセッション情報を求め、
前記クライアント種別管理テーブルを参照し、前記利用者ＩＤ及び端末識別子に基づきトランスコード情報を取得し、
前記デバイス管理テーブルを参照し、前記利用者ＩＤに基づきデバイス情報を取得し、前記デバイス情報により特定されコンテンツを保存している記憶装置と接続し、接続後、前記記憶装置内に保存されているコンテンツのファイル一覧を取得し、
前記ファイル一覧から選択された閲覧対象ファイル名と、前記利用者ＩＤ及び端末識別子と、前記デバイス情報とを含む閲覧要求メッセージを前記端末から受信し、
前記デバイス情報により特定された前記記憶装置に保存されている前記閲覧対象ファイル名のコンテンツを前記トランスコード情報に従い変換して変換後コンテンツを生成し、
前記利用者ＩＤ及び／又は端末識別子の前記端末へ前記変換後コンテンツを配信する
配信提供装置。
【請求項２】
請求項１に記載の配信提供装置であって、
前記処理部は、
利用者認証サーバと、
デバイス管理サーバと
を備え、
前記利用者認証サーバは、端末から利用者ＩＤ及びパスワード及び端末識別子を受信すると、前記利用者管理テーブルを参照し、前記利用者ＩＤ及びパスワードに該当するエントリの有無により利用者を認証し、前記利用者ＩＤ及びパスワードに基づき利用者管理情報及びセッション情報を求め、前記利用者ＩＤ及び端末識別子と、前記利用者管理情報とを含む利用要求メッセージをクライアント種別管理サーバへ送信し、前記利用者ＩＤ及び端末識別子と、前記利用者管理情報と、前記セッション情報とを含むネットワーク開通要求メッセージを前記デバイス管理サーバへ送信することを特徴とする配信提供装置。
【請求項３】
請求項２に記載の配信提供装置であって、
前記処理部は、
クライアント種別管理サーバと、
トランスコード機能提供サーバと
を備え、
前記クライアント種別管理サーバは、前記利用者認証サーバから前記利用要求メッセージを受信すると、前記クライアント種別管理テーブルを参照し、前記利用者ＩＤ及び端末識別子に基づきトランスコード情報を取得し、利用者ＩＤ及び端末識別子と、セッション情報と、トランスコード情報とを含むトランスコード通知メッセージを、前記トランスコード機能提供サーバへ通知することを特徴とする配信提供装置。
【請求項４】
請求項３に記載の配信提供装置であって、
前記デバイス管理サーバは、前記利用者認証サーバから前記ネットワーク開通要求メッセージを受信すると、前記デバイス管理テーブルを参照し、前記利用者ＩＤに基づきデバイス情報を取得し、前記デバイス情報により特定されコンテンツを保存している記憶装置と接続し、接続後、前記記憶装置内に保存されているコンテンツのファイル一覧を取得し、前記利用者ＩＤ及び端末識別子と、前記利用者管理情報と、前記セッション情報と、前記デバイス情報と、前記ファイル一覧を含むネットワーク開通応答メッセージを、前記端末へ送信することを特徴とする配信提供装置。
【請求項５】
請求項４に記載の配信提供装置であって、
前記デバイス管理サーバは、
前記デバイス管理テーブルを参照したとき、対応する前記デバイス情報が複数存在する場合は、複数の前記デバイス情報に含まれる各前記記憶装置とそれぞれ接続を行うことを特徴とする配信提供装置。
【請求項６】
請求項４に記載の配信提供装置であって、
前記処理部は、
配信サーバ
を備え、
前記配信サーバは、前記ファイル一覧から選択された閲覧対象ファイル名と、前記利用者ＩＤ及び端末識別子と、前記利用者管理情報の少なくとも一部と、前記デバイス情報と、前記セッション情報の少なくとも一部とを含む閲覧要求メッセージを端末から受信すると、前記利用者管理テーブルを参照し、前記利用者ＩＤに基づき、前記利用者管理情報の他の一部と、前記セッション情報の他の一部とを取得し、前記利用者ＩＤ及び端末識別子と、前記閲覧対象ファイル名と、前記利用者情報及び前記セッション情報及び前記デバイス情報を含む配信要求メッセージを前記トランスコード機能提供サーバへ通知することを特徴とする配信提供装置。
【請求項７】
請求項６に記載の配信提供装置であって、
前記利用者管理情報は、ユニキャストで配信するかマルチキャストで配信するかを識別するための契約タイプを含み、
前記配信サーバは、契約タイプに従い変換後コンテンツを配信することを特徴とする配信提供装置。
【請求項８】
請求項６に記載の配信提供装置であって、
前記トランスコード機能提供サーバは、前記配信サーバからの前記配信要求メッセージを受信すると、前記デバイス情報により特定された前記記憶装置に保存されている前記閲覧対象ファイル名のコンテンツを前記トランスコード情報に従い変換して変換後コンテンツを生成し、前記利用者ＩＤ及び端末識別子と、前記利用者管理情報と、前記セッション情報と、前記デバイス情報と、前記閲覧ファイル名と、変換後コンテンツとを含む結果送信メッセージを前記配信サーバへ送信することを特徴とする配信提供装置。
【請求項９】
請求項８に記載の配信提供装置であって、
前記配信サーバは、前記トランスコード機能提供サーバから前記結果送信メッセージを受信すると、前記利用者ＩＤ及び／又は端末識別子の前記端末へ前記変換後コンテンツを配信することを特徴とする配信提供装置。
【請求項１０】
請求項１に記載の配信提供装置であって、
端末から、前記記憶装置への利用者ＩＤを含むサービス利用要求メッセージを受信すると、
前記処理部は、サービス利用要求メッセージ内の利用者ＩＤの端末に利用者ＩＤ及びパスワードの入力のための利用者識別情報要求メッセージを返すことを特徴とする配信提供装置。
【請求項１１】
請求項１に記載の配信提供装置であって、
前記トランスコード情報は、映像フォーマット及び解像度を含むことを特徴とする配信提供装置。
【請求項１２】
請求項１に記載の配信提供装置であって、
前記クライアント種別管理テーブルに合致する情報が存在しなかった場合は、前記処理部は、端末識別子の一部の情報に従い前記クライアント種別管理テーブルに設定されている情報から前記トランスコード情報を取得することを特徴とする配信提供装置。
【請求項１３】
請求項１に記載の配信提供装置であって
前記デバイス情報は、前記配信提供装置の外部の記憶装置、前記配信提供装置の内部の記憶装置、その他の記憶装置のいずれかひとつ又は複数を表すデバイスＩＤ及び／又はデバイス名であることを特徴とする配信提供装置。
【請求項１４】
請求項１に記載の配信提供装置であって、
利用者ＩＤを含み、配信終了後又はセッション有効期限切れを表す終了通知を端末から受信すると、前記終了通知を行った利用者ＩＤを元に前記利用者管理テーブルを検索し、前記利用者管理情報に含まれるリクエストタイプを終了又は切断に設定することを特徴とする配信提供装置。
【請求項１５】
配信提供システムであって、
配信提供装置と、
コンテンツを保存する記憶装置と
を備え、
前記配信提供装置は、
利用者の端末の利用者ＩＤ及びパスワードに対して、利用者管理情報、セッション情報を記憶する利用者管理テーブルと、
利用者ＩＤ及び端末識別子に対して、端末の再生フォーマットについてのトランスコード情報を記憶するクライアント種別管理テーブルと、
利用者ＩＤに対して、端末のデバイス情報を記憶するデバイス管理テーブルと、
コンテンツのフォーマットを端末の再生フォーマットへ変換するトランスコード機能を含む処理部と
を備え、
前記処理部は、
端末から利用者ＩＤ及びパスワード及び端末識別子を受信し、
前記利用者管理テーブルを参照し、前記利用者ＩＤ及びパスワードに基づき、利用者を認証し、利用者管理情報及びセッション情報を求め、
前記クライアント種別管理テーブルを参照し、前記利用者ＩＤ及び端末識別子に基づきトランスコード情報を取得し、
前記デバイス管理テーブルを参照し、前記利用者ＩＤに基づきデバイス情報を取得し、前記デバイス情報により特定されコンテンツを保存している前記記憶装置と接続し、接続後、前記記憶装置内に保存されているコンテンツのファイル一覧を取得し、
前記ファイル一覧から選択された閲覧対象ファイル名と、前記利用者ＩＤ及び端末識別子と、前記デバイス情報とを含む閲覧要求メッセージを前記端末から受信し、
前記デバイス情報により特定された前記記憶装置に保存されている前記閲覧対象ファイル名のコンテンツを前記トランスコード情報に従い変換して変換後コンテンツを生成し、
前記利用者ＩＤ及び／又は端末識別子の前記端末へ前記変換後コンテンツを配信する
配信提供システム。
【請求項１６】
請求項１５に記載の配信提供システムであって、
前記記憶装置は、前記端末利用者のホームネットワーク内又は法人ネットワーク内に備えられていることを特徴とする配信提供システム。
【請求項１７】
請求項１５に記載の配信提供システムであって、
前記記憶装置は、前記配信提供装置内又は他のネットワーク装置内に備えられていることを特徴とする配信提供システム。
【請求項１８】
請求項１５に記載の配信提供システムであって、
前記端末と前記配信提供装置との間のメッセージを暗号化・復号化にて平文を暗号文に変換して送信及び受信するための暗号化／復号化部を備えることを特徴とする配信提供システム。
【請求項１９】
請求項１５に記載の配信提供システムであって、
前記記憶装置と前記配信提供装置との間のメッセージを暗号化・復号化にて平文を暗号文に変換して送信及び受信するための暗号化／復号化部を備えることを特徴とする配信提供システム。
【請求項２０】
配信提供装置における配信提供方法であって、
前記配信提供装置は、
利用者の端末の利用者ＩＤ及びパスワードに対して、利用者管理情報、セッション情報を記憶する利用者管理テーブルと、
利用者ＩＤ及び端末識別子に対して、端末の再生フォーマットについてのトランスコード情報を記憶するクライアント種別管理テーブルと、
利用者ＩＤに対して、端末のデバイス情報を記憶するデバイス管理テーブルと、
コンテンツのフォーマットを端末の再生フォーマットへ変換するトランスコード機能を含む処理部と
を備え、
前記処理部は、
端末から利用者ＩＤ及びパスワード及び端末識別子を受信し、
前記利用者管理テーブルを参照し、前記利用者ＩＤ及びパスワードに基づき、利用者を認証し、利用者管理情報及びセッション情報を求め、
前記クライアント種別管理テーブルを参照し、前記利用者ＩＤ及び端末識別子に基づきトランスコード情報を取得し、
前記デバイス管理テーブルを参照し、前記利用者ＩＤに基づきデバイス情報を取得し、前記デバイス情報により特定されコンテンツを保存している記憶装置と接続し、接続後、前記記憶装置内に保存されているコンテンツのファイル一覧を取得し、
前記ファイル一覧から選択された閲覧対象ファイル名と、前記利用者ＩＤ及び端末識別子と、前記デバイス情報とを含む閲覧要求メッセージを前記端末から受信し、
前記デバイス情報により特定された前記記憶装置に保存されている前記閲覧対象ファイル名のコンテンツを前記トランスコード情報に従い変換して変換後コンテンツを生成し、
前記利用者ＩＤ及び／又は端末識別子の前記端末へ前記変換後コンテンツを配信する
配信提供方法。
【発明の詳細な説明】
【技術分野】
【０００１】
本発明は、配信提供装置及びシステム及び方法に係り、特に、ホームネットワーク上のＨＤＤ装置内もしくは他の装置が保持するストレージ装置内の映像データ等のコンテンツを再生・閲覧するクライアント端末の種別に合わせて解像度を調整して配信を効率化するための配信提供装置及びシステム及び方法に関する。
【背景技術】
【０００２】
近年、安価で大容量のＨＤＤ装置が流通し個人で動画・静止画のデータを記録し保持している。デジタル家電の普及によりホームネットワークを構築している家庭も多く、デジタルテレビを外付けＨＤＤと接続し、テレビ番組をＨＤＤに録画している。これらの記録したコンテンツを再生・閲覧する機器も多岐に渡っている。機器としては、例えば、携帯電話やタブレット端末といった移動体端末やＰＣなどの端末があげられる。これらの端末を利用し記録したコンテンツを再生・閲覧する場合、再生する端末の内蔵ＨＤＤへデータをコピーし保存し再生・閲覧することができる。もしくは、無料あるいは有料のオンラインストレージサービス／ファイルホスティングサービスなどを利用し、端末からインターネットを介してストレージ装置にアクセスすることで再生・閲覧することが一般的である。
オンラインストレージサービス／ファイルホスティングサービスは、モバイルＨＤＤの代替やデータのバックアップ、ファイル共有や受け渡しといった用途として多く利用されている。このような技術について特許文献１に記載されている。
また、近年では動画再生が可能なオンラインストレージサービスも多く、コンテンツの再生・閲覧する端末に適した映像フォーマットへ変換する技術について特許文献２、３に記載されている。
【先行技術文献】
【特許文献】
【０００３】
【特許文献１】特開２００９−１０４２３５号公報
【特許文献２】特開２０１１−２５９１１４号公報
【特許文献３】特開２００７−６１４８号公報
【発明の概要】
【発明が解決しようとする課題】
【０００４】
近年ＨＤＤが大容量で安価になっているが、個々で録画・保存した映像データを外部で閲覧する際、再生端末に予め保存しておく必要があり、インターネット上のオンラインストレージなどへアップロードせずに直接閲覧することが出来ない。例えオンラインストレージなどのインターネット上にデータをアップロードしていても再生端末によってデータフォーマットや解像度が異なる場合があるため、アップロード前に再生端末に合わせたデータフォーマットへ変換後、アップロードする必要がある。また、オンラインストレージサービスによっては、対応しているデータフォーマットが限られているものがある。更に動画再生のために専用のアプリケーションが必要となる場合もある。
【０００５】
また、オンラインストレージサービスには、無償と有償のものがある。主に格納可能なデータ容量やサービス機能などによって価格が決まっている。特に動画は容量が大きいため無償で複数のファイルをアップロードすることは通常は難しく、広域網は通信速度も高速とは言えない。また、容量の大きい動画ファイルフォーマットの変換やアップロードは、作業の手間も多い。
更に、任意のストレージ装置上にデータをアップロードすることで情報が漏えいされる場合が考えられるため、利用者は一時的なデータ領域としてファイルの受け渡しなどで無償の範囲内で使用していることが多い。
本発明は、以上の点に鑑み、事前のファイルフォーマットの変換やオンラインストレージへのアップロード作業なしに個々で録画・保存したデータを様々な再生端末でアクセスし、閲覧することを第一目的とする。また、本発明は、個々で所有している動画を再生・閲覧する仕組みの一部を提供することでオンラインストレージサービスの新たな収益を期待できるようにすることを第二の目的とする。
【課題を解決するための手段】
【０００６】
本発明の第１の解決手段によると、
配信提供装置であって、
利用者の端末の利用者ＩＤ及びパスワードに対して、利用者管理情報、セッション情報を記憶する利用者管理テーブルと、
利用者ＩＤ及び端末識別子に対して、端末の再生フォーマットについてのトランスコード情報を記憶するクライアント種別管理テーブルと、
利用者ＩＤに対して、端末のデバイス情報を記憶するデバイス管理テーブルと、
コンテンツのフォーマットを端末の再生フォーマットへ変換するトランスコード機能を含む処理部と
を備え、
前記処理部は、
端末から利用者ＩＤ及びパスワード及び端末識別子を受信し、
前記利用者管理テーブルを参照し、前記利用者ＩＤ及びパスワードに基づき、利用者を認証し、利用者管理情報及びセッション情報を求め、
前記クライアント種別管理テーブルを参照し、前記利用者ＩＤ及び端末識別子に基づきトランスコード情報を取得し、
前記デバイス管理テーブルを参照し、前記利用者ＩＤに基づきデバイス情報を取得し、前記デバイス情報により特定されコンテンツを保存している記憶装置と接続し、接続後、前記記憶装置内に保存されているコンテンツのファイル一覧を取得し、
前記ファイル一覧から選択された閲覧対象ファイル名と、前記利用者ＩＤ及び端末識別子と、前記デバイス情報とを含む閲覧要求メッセージを前記端末から受信し、
前記デバイス情報により特定された前記記憶装置に保存されている前記閲覧対象ファイル名のコンテンツを前記トランスコード情報に従い変換して変換後コンテンツを生成し、
前記利用者ＩＤ及び／又は端末識別子の前記端末へ前記変換後コンテンツを配信する
配信提供装置が提供される。
【０００７】
本発明の第２の解決手段によると、
配信提供システムであって、
配信提供装置と、
コンテンツを保存する記憶装置と
を備え、
前記配信提供装置は、
利用者の端末の利用者ＩＤ及びパスワードに対して、利用者管理情報、セッション情報を記憶する利用者管理テーブルと、
利用者ＩＤ及び端末識別子に対して、端末の再生フォーマットについてのトランスコード情報を記憶するクライアント種別管理テーブルと、
利用者ＩＤに対して、端末のデバイス情報を記憶するデバイス管理テーブルと、
コンテンツのフォーマットを端末の再生フォーマットへ変換するトランスコード機能を含む処理部と
を備え、
前記処理部は、
端末から利用者ＩＤ及びパスワード及び端末識別子を受信し、
前記利用者管理テーブルを参照し、前記利用者ＩＤ及びパスワードに基づき、利用者を認証し、利用者管理情報及びセッション情報を求め、
前記クライアント種別管理テーブルを参照し、前記利用者ＩＤ及び端末識別子に基づきトランスコード情報を取得し、
前記デバイス管理テーブルを参照し、前記利用者ＩＤに基づきデバイス情報を取得し、前記デバイス情報により特定されコンテンツを保存している前記記憶装置と接続し、接続後、前記記憶装置内に保存されているコンテンツのファイル一覧を取得し、
前記ファイル一覧から選択された閲覧対象ファイル名と、前記利用者ＩＤ及び端末識別子と、前記デバイス情報とを含む閲覧要求メッセージを前記端末から受信し、
前記デバイス情報により特定された前記記憶装置に保存されている前記閲覧対象ファイル名のコンテンツを前記トランスコード情報に従い変換して変換後コンテンツを生成し、
前記利用者ＩＤ及び／又は端末識別子の前記端末へ前記変換後コンテンツを配信する
配信提供システムが提供される。
【０００８】
本発明の第３の解決手段によると、
配信提供装置における配信提供方法であって、
前記配信提供装置は、
利用者の端末の利用者ＩＤ及びパスワードに対して、利用者管理情報、セッション情報を記憶する利用者管理テーブルと、
利用者ＩＤ及び端末識別子に対して、端末の再生フォーマットについてのトランスコード情報を記憶するクライアント種別管理テーブルと、
利用者ＩＤに対して、端末のデバイス情報を記憶するデバイス管理テーブルと、
コンテンツのフォーマットを端末の再生フォーマットへ変換するトランスコード機能を含む処理部と
を備え、
前記処理部は、
端末から利用者ＩＤ及びパスワード及び端末識別子を受信し、
前記利用者管理テーブルを参照し、前記利用者ＩＤ及びパスワードに基づき、利用者を認証し、利用者管理情報及びセッション情報を求め、
前記クライアント種別管理テーブルを参照し、前記利用者ＩＤ及び端末識別子に基づきトランスコード情報を取得し、
前記デバイス管理テーブルを参照し、前記利用者ＩＤに基づきデバイス情報を取得し、前記デバイス情報により特定されコンテンツを保存している記憶装置と接続し、接続後、前記記憶装置内に保存されているコンテンツのファイル一覧を取得し、
前記ファイル一覧から選択された閲覧対象ファイル名と、前記利用者ＩＤ及び端末識別子と、前記デバイス情報とを含む閲覧要求メッセージを前記端末から受信し、
前記デバイス情報により特定された前記記憶装置に保存されている前記閲覧対象ファイル名のコンテンツを前記トランスコード情報に従い変換して変換後コンテンツを生成し、
前記利用者ＩＤ及び／又は端末識別子の前記端末へ前記変換後コンテンツを配信する
配信提供方法が提供される。
【発明の効果】
【０００９】
本発明によると、事前のファイルフォーマットの変換やオンラインストレージへのアップロード作業なしに個々で録画・保存したデータを様々な再生端末でアクセスし、閲覧することができる。また、本発明によると、個々で所有している動画を再生・閲覧する仕組みの一部を提供することでオンラインストレージサービスの新たな収益を期待できるようにすることができる。
【図面の簡単な説明】
【００１０】
【図１】システム構成図。
【図２Ａ】解像度調整配信提供基盤シーケンス図（Ａ）。
【図２Ｂ】解像度調整配信提供基盤シーケンス図（Ｂ）。
【図３】利用者認証サーバ処理（１）についてのフローチャート。
【図４】利用者認証サーバ処理（２）についてのフローチャート。
【図５】デバイス管理サーバ処理についてのフローチャート。
【図６】クライアント種別管理サーバ処理についてのフローチャート。
【図７】配信サーバのサーバ処理（１）についてのフローチャート。
【図８】配信サーバのサーバ処理（２）についてのフローチャート。
【図９】トランスコード機能提供サーバ処理についてのフローチャート。
【図１０】利用者識別情報のフォーマット。
【図１１】利用者管理テーブルの説明図。
【図１２】利用要求メッセージのフォーマット。
【図１３】ネットワーク開通要求メッセージのフォーマット。
【図１４】クライアント種別管理テーブルの説明図。
【図１５】トランスコード情報通知メッセージのフォーマット。
【図１６】デバイス管理テーブルの説明図。
【図１７】デバイス接続要求メッセージのフォーマット。
【図１８】デバイス接続応答メッセージのフォーマット。
【図１９】ネットワーク開通応答メッセージのフォーマット。
【図２０】閲覧要求メッセージのフォーマット。
【図２１】配信要求メッセージのフォーマット。
【図２２】結果送信メッセージのフォーマット。
【図２３】配信終了時の利用要求メッセージのフォーマット。
【図２４】データベース（ＤＢ）の構成図。
【発明を実施するための形態】
【００１１】
以下、発明を実施するための形態の例を説明する。
Ａ．概要
本実施例のアクセス方法は一例として、
多種多様な再生端末に適した映像ファイルフォーマットへ変換するトランスコード機能を備える提供基盤と、
前記提供基盤と通信する複数の再生端末情報を管理する利用者管理データベースと、
前記提供サーバと通信する複数の外部記憶装置を管理するデバイス管理データベースと、
前記再生端末種別情報を管理するクライアント種別管理データベース
を用いる映像データアクセス方法であって、
前記提供基盤が、前記再生端末から映像ファイルへのアクセス要求メッセージを受信するステップと、
前記提供基盤が、前記利用者管理データベースから前記再生端末から前記トランスコード機能提供サーバ利用に対応する利用者情報を検索し、認証するステップと、
前記提供基盤が、前記利用者管理データベースから読み出した、利用者の契約情報、及び前記提供基盤に予め登録したデバイス情報を用いて、前記トランスコード機能利用に関するネットワーク情報、及びセッション情報を生成するステップと
を有する。
また、本実施例のアクセス方法は一例として、前記提供基盤が、前記ネットワーク情報、及びセッション情報に基づいて、前記外部記憶装置へのアクセス可否を判断し、前記再生端末種別情報をもとに前記トランスコード機能の利用内容を決定して、前期複数の外部記憶装置から映像ファイルを前記再生端末へ送信するステップを有することを特徴とすることができる。
また、本実施例のアクセス方法は一例として、前記デバイス管理データベースで管理するデバイス数及び、前記再生端末数に応じた課金処理することを特徴とすることができる。
また、本実施例のアクセス方法は一例として、前記提供基盤と外部記憶装置と再生端末は、セキュリティ暗号化された閉域網を利用し情報の受け渡しを行い、前期トランスコード機能では前記提供基盤では、データを保持せず配信する機能を有することができる。
また、前記提供基盤内にあるオンラインストレージ装置に保存されている映像ファイルも同様に前記再生端末に合わせたファイルフォーマットおよび解像度へ変換することなく、前記トランスコード機能を介し配信されることを特徴とすることができる。
【００１２】
Ｂ．実施の形態
１．システム
本発明の実施例を図面に基づいて説明する。
図１は、利用者が移動体クライアント（再生端末）０１１０を用いて解像度調整配信提供基盤（配信提供装置）０１０１を利用する際のシステム構成図である。
利用者の所持する移動体クライアント０１１０は、一例として携帯端末０１１４、タブレット端末０１１５、車などに搭載されるナビ端末０１１６などのいずれか又は複数を有し、映像ファイルを閲覧することが出来る。本実施例では、移動体通信網０１０９を介するタブレット端末０１１５を想定するが、固定通信網０１０８を介する各種再生端末も例外ではなくある特定のものに限定されることはない。移動体クライアント０１１０は、固定通信網０１０８もしくは移動体通信網０１０９を介して解像度調整配信提供基盤０１０１にアクセス出来、映像ファイルが閲覧出来る機能を有するものである。
移動体クライアント０１１０は、解像度調整配信提供基盤０１０１と、固定通信網０１０８もしくは移動体通信網０１０９等の通信網を介して接続される。また、外部記憶装置０１１７を有するホームネットワークもしくは法人ネットワーク０１２４への接続は、解像度調整配信提供基盤０１０１を経由して行われる。
解像度調整配信提供基盤０１０１は、利用者認証サーバ０１０２、デバイス管理サーバ０１０３、クライアント種別管理サーバ０１０４、配信サーバ０１０５、トランスコード機能提供サーバ０１０６、オンラインストレージ装置０１０７、データベース（ＤＢ）０１３０、暗号化・復号化Ｇ／Ｗ（２）０１１２を備える。
ホームネットワーク／法人ネットワーク０１２４は、動画・静止画記録装置０１２３、外部記憶装置０１１７、暗号化・復号化Ｇ／Ｗ（３）０１１３を備える。
外部記憶装置０１１７には、動画・静止画記録装置０１２３にあたるテレビ０１１８、デジタルカメラ０１１９、レコーダ０１２０、携帯端末０１２１、固定端末０１２２などから記録されたデジタルファイルが保存されている。移動体クライアント０１１０と解像度調整配信提供基盤０１０１、解像度調整配信提供基盤０１０１とホームネットワーク／法人ネットワーク０１２４は、暗号化・復号化Ｇ／Ｗ０１１１、０１１２、０１１３を通してやりとりされる。このＧ／Ｗは、ハードウェアもしくはソフトウェアにて実装される。このＧ／Ｗ間でやりとりする全てのパケットは、暗号化され第３者に閲覧や改ざんされることはない。また、広域網ではなく利用者毎にセキュリティ技術が搭載された論理的な閉域網を割当、その閉域網上で通信を行う。一例としてＩＰｓｅｃＶＰＮなどがあるがこれに限定されることはない。
なお、各サーバの一部又は複数又は全部を処理部により構成し、処理部により各サーバの処理の一部又は複数又は全部を適宜実行するようにしてもよい。
【００１３】
図２４は、データベース（ＤＢ）０１３０の構成図である。
データベース（ＤＢ）０１３０は、利用者管理テーブル０３０３、クライアント種別管理テーブル０６０４、デバイス管理テーブル０５０２を備える。なお、利用者管理テーブル０３０３、クライアント種別管理テーブル０６０４、デバイス管理テーブル０５０２の各テーブルは、適宜予め設定されている。
図１１は、利用者管理テーブルの説明図である。
利用者管理テーブル０３０３は、項番、利用者識別情報（利用者ＩＤ、ＮＷパスワード）、利用者管理情報（契約タイプ、リクエストタイプ（接続／切断／再生／終了））、セッション情報（トランザクションＩＤ、セッション鍵、セッション鍵有効期限）、レコード更新日時を対応して記憶する。なお、リクエストタイプとして、例えば、接続開始日時、接続終了日時、ステータス、利用回数／月を含むようにしてもよい。
【００１４】
図１４は、クライアント種別管理テーブルの説明図である。
クライアント種別管理テーブル０６０４は、項番、利用者識別情報（利用者ＩＤ、端末識別子）、トランスコード情報（映像フォーマット、解像度）を対応して記憶する。
図１６は、デバイス管理テーブルの説明図である。
デバイス管理テーブル０５０２は、項番、利用者識別情報（利用者ＩＤ）、デバイス情報（デバイスＩＤ、デバイス名、デバイス種別）、管理状態を対応して記憶する。
なお、利用者識別情報、利用者管理情報、セッション情報、トランスコード情報、デバイス情報は、一例を示したものであり、各データの一部又は全部としてもよいし、他の情報としたり、適宜他の情報を含めてもよい。また、処理に用いる各情報も一例を示したものであり、適宜のデータを用いるようにしてもよい。
【００１５】
２．処理
図２Ａは、解像度調整配信提供基盤シーケンス図（Ａ）である。
図１０は、利用者識別情報のフォーマットである。
利用者識別情報０３０１は、利用者ＩＤ、ＮＷパスワード、端末識別子を含む。
移動体クライアント０１１０は、利用者認証サーバ０１０２へホームネットワーク上の外部記憶装置０１１７へのサービス利用要求メッセージ０２０１を送信する。サービス利用要求メッセージ０２０１は、移動体クライアント０１１０の利用者ＩＤを含む。サービス利用要求メッセージ０２０１は、暗号化・復号化Ｇ／Ｗ（１）０１１１にて平文を暗号文に変換され、サービス利用要求メッセージ０２０２として出力され、暗号化・復号化Ｇ／Ｗ（２）０１１２にて、平文に復号化され、サービス利用要求メッセージ０２０３として出力される。
利用者認証サーバ０１０２は、サービス利用要求メッセージ０２０３内の利用者識別情報０３０１の利用者ＩＤをもとに、暗号化・復号化Ｇ／Ｗ（２）０１１２、暗号化・復号化Ｇ／Ｗ（１）０１１１を介して利用者識別情報要求０２０４、０２０５、０２０６を返送する。
移動体クライアント０１１０は、暗号化・復号化Ｇ／Ｗ（１）０１１１、暗号化・復号化Ｇ／Ｗ（２）０１１２を介して利用者認証サーバ０１０２へ、利用者識別情報０３０１のＮＷパスワードおよび端末識別子を、利用者識別情報応答メッセージ０２０７、０２０８、０２０９として返送する。
【００１６】
図３は、利用者認証サーバ処理（１）についてのフローチャートである。
利用者識別情報０３０１を受信（０２０９）した利用者認証サーバ０１０２は、利用者管理テーブル０３０３上の情報に利用者ＩＤがあるか、ＮＷパスワードは合致するか確認し、認証突合せを行う（０３００）。受信した利用者識別情報０３０１の利用者ＩＤ、ＮＷパスワードがない場合、利用者認証サーバ０１０２は、処理を終了する。
利用者認証サーバ０１０２は、利用者管理テーブル０３０３上に利用者識別情報０３０１の利用者ＩＤ及びＮＷパスワードがあった場合は、利用者管理テーブル０３０３から利用者管理情報を取得する（０３０２）。利用者管理情報は、例えば、契約タイプ、リクエストタイプ（接続／切断／再生／終了）を含むことができる。
利用者認証サーバ０１０２は、利用者識別情報０３０１に利用者管理情報を付加した利用要求メッセージ０３０４をクライアント種別管理サーバ０１０４へ送信する（０２１０）。
【００１７】
図１２は、利用要求メッセージのフォーマットである。
利用要求メッセージ０３０４は、利用者ＩＤ、端末識別子、契約タイプ、リクエストタイプを含む。
また、利用者認証サーバ０１０２は、利用者識別情報及び利用者管理情報と、トランザクションＩＤと、該当利用者のセッション鍵とセッション鍵有効期限を含むセッション情報を含むネットワーク（ＮＷ）開通要求メッセージ０３０５を生成し、デバイス管理サーバ０１０３へ、利用者識別情報０３０１を付加した形で送信する（０２１２）。
図１３は、ネットワーク開通要求メッセージのフォーマットである。
ネットワーク開通要求メッセージ０３０５は、利用者ＩＤ、端末識別子、契約タイプ、トランザクションＩＤ、セッション鍵、セッション鍵有効期限、デバイス接続結果、デバイス内ファイル一覧、リクエストタイプを含む。
【００１８】
図６は、クライアント種別管理サーバ処理についてのフローチャートである。
クライアント種別管理サーバ０１０４は、図１２に示したような利用要求メッセージ０３０４が通知されると（０２１０）、クライアント種別管理テーブル０６０４から利用者要求メッセージ０３０４の利用者識別情報（利用者ＩＤと端末識別子）を検索する（０６０２）。クライアント種別管理テーブル０６０４に合致する利用者識別情報が存在した場合、トランスコードに必要なトランスコード情報（パラメータ）を取得する（０６０３）。ここに記載のトランスコードに必要なトランスコード情報（パラメータ）は、一例として映像フォーマットや解像度である。なお、クライアント種別管理テーブル０６０４のトランスコードに必要なパラメータの利用者毎の設定は、利用者が本サービスを申し込む際、利用予定の移動体クライアント（再生端末）０１１０毎のファイル形式や解像度の情報を登録することが出来る。これは、通信速度やホームネットワーク環境や外部記憶装置０１１７に保存されている映像ファイルの解像度によって、利用者が設定することが出来る。
【００１９】
ステップ０６０２で、クライアント種別管理テーブル０６０４に合致する情報が存在しなかった場合は、クライアント種別管理サーバ０１０４は、端末識別子に含まれるハード情報に沿って予めクライアント種別管理テーブル０６０４に設定されている情報からトランスコードに必要なトランスコード情報（パラメータ）を取得する（０６０５）。例えば、図１４のクライアント種別管理テーブル０６０４に項番「２」の情報が無かった場合、端末識別子「ＵＩＤ６７８９０」を含む利用要求メッセージ０３０４の通知０２１０が行われると、クライアント種別管理サーバ０１０４は、端末識別子「ＵＩＤ６ｘｘｘｘ」によりクライアント種別管理テーブル０６０４の項番「７」のパラメータを取得する。
クライアント種別管理サーバ０１０４は、ステップ０６０３又は０６０５で取得したトランスコード情報（パラメータ）と、利用者識別情報と、利用者管理テーブル０３０３を参照して得たセッション情報とを含むトランスコード情報通知メッセージ０６０６を生成する。生成したトランスコード情報通知メッセージ０６０６は、トランスコード機能提供サーバ０１０６へ通知される（０２１１）。
【００２０】
図１５は、トランスコード情報通知メッセージのフォーマットである。
トランスコード情報通知メッセージ０６０６は、利用者ＩＤ、端末識別子、トランザクションＩＤ、セッション鍵、セッション鍵有効期限、映像フォーマット、解像度を含む。
図５は、デバイス管理サーバ処理についてのフローチャートである。
利用者認証サーバ０１０２から図１３に示したネットワーク開通要求メッセージ０３０５を受信（０２１２）したデバイス管理サーバ０１０３は、デバイス管理テーブル０５０２に、ネットワーク開通要求メッセージ０３０５の利用者ＩＤがあるか判定する（０５００）。利用者ＩＤが無い場合、デバイス管理サーバ０１０３は、ステップ０２２１の処理を実施する。
利用者ＩＤがあると判定した場合、デバイス管理サーバ０１０３は、デバイス管理テーブル０５０２に基づき、利用者ＩＤをキーに利用者が保持している外部記憶装置０１１７やオンラインストレージ装置０１０７等のデバイス情報を取得する（０５０１）。デバイス管理サーバ０１０３は、利用者識別情報、利用者管理情報、セッション情報及びデバイス情報に基づきそれぞれのデバイスと接続するためのデバイス接続要求メッセージ０５０３を生成する（０５０３）。
【００２１】
図１７は、デバイス接続要求メッセージのフォーマットである。
デバイス接続要求メッセージ０５０４は、利用者ＩＤ、デバイスＩＤ、デバイス名、トランザクションＩＤ、セッション鍵、セッション鍵有効期限、デバイス接続結果、デバイス内ファイル一覧、リクエストタイプを含む。なお、デバイス接続要求メッセージ０５０４に含まれるデバイス情報は、一例として、図１６のように、デバイスＩＤ、デバイス名とすることができる。なお、デバイス接続結果、デバイス内ファイル一覧は、空欄とすることができる。
デバイス管理サーバ０１０３は、利用者が保持している外部記憶装置０１１７へ接続し、デバイス接続要求メッセージ０５０４を、暗号化・復号化Ｇ／Ｗ（２）０１１２、暗号化・復号化Ｇ／Ｗ（３）０１１３を介し、外部記憶装置０１１７へ送信する（０２１３、０２１４、０２１５）。
なお、利用者ＩＤによっては複数のデバイス情報が存在することがあるが、その場合は、全てのデバイスに対してデバイス接続要求メッセージ０５０４を生成し、それぞれの装置と接続を行う。
接続後、外部記憶装置０１１７は、デバイス接続要求メッセージ０５０４内の情報に内部に保存されているファイル（コンテンツ）等のデータ一覧の情報を含むデバイス接続応答メッセージ０５０５を、デバイス管理サーバ０１０３に返送する（０２１６、０２１７、０２１８）。
【００２２】
図１８は、デバイス接続応答メッセージのフォーマットである。
デバイス接続応答メッセージ０５０５は、利用者ＩＤ、デバイスＩＤ、デバイス名、トランザクションＩＤ、セッション鍵、セッション鍵有効期限、デバイス接続結果、デバイス内ファイル一覧、リクエストタイプを含む。
デバイス管理サーバ０１０３は、デバイス接続応答メッセージ０５０５に含まれるデバイス内データ一覧により、外部記憶装置０１１７内に保存されているデータ一覧を作成する（０２１８）。なお、デバイス管理サーバ０１０３は、デバイス接続結果（ＯＫ／ＮＧ）を作成することができる。つぎに、デバイス管理サーバ０１０３は、ネットワーク開通要求メッセージ０３０５を使って、さらに、デバイス接続結果（ＯＫ／ＮＧ）、デバイス情報（デバイスＩＤ、デバイス名）、デバイス内ファイル一覧を含むネットワーク開通応答メッセージ０５０６を作成する（０２１９）。
【００２３】
図１９は、ネットワーク開通応答メッセージのフォーマットである。
ネットワーク開通応答メッセージ０５０６は、利用者ＩＤ、端末識別子、契約タイプ、トランザクションＩＤ、セッション鍵、セッション鍵有効期限、デバイス接続結果、デバイスＩＤ、デバイス名、デバイス内ファイル一覧、リクエストタイプを含む。
デバイス管理サーバ０１０３は、暗号化・復号化Ｇ／Ｗ（２）０１１２、暗号化・復号化Ｇ／Ｗ（１）０１１１を介し移動体クライアント０１１０へ、データ一覧を含むネットワーク開通応答メッセージ０５０６を送信する（０２１９、０２２０、０２２１）。
【００２４】
図２Ｂは、解像度調整配信提供基盤シーケンス図（Ｂ）である。
移動体クライアント０１１０は、ネットワーク開通応答メッセージ０５０６を受信すると、ネットワーク開通応答メッセージ０５０６内のデータ一覧を表示し、データ一覧から閲覧したい映像ファイル等のコンテンツ（閲覧対象ファイル）を選択し、移動体クライアント（再生端末）０１１０内の再生ソフトウェアで再生を要求する。
移動体クライアント（再生端末）０１１０は、閲覧要求メッセージ０７０１を作成し、セッション／コンテンツ閲覧要求として、暗号化・復号化Ｇ／Ｗ（１）０１１１、暗号化・復号化Ｇ／Ｗ（２）０１１２を介して閲覧要求メッセージ０７０１を配信サーバ０１０５へ送信する（０２２２、０２２３、０２２４）。
図２０は、閲覧要求メッセージのフォーマットである。
閲覧要求メッセージ０７０１は、利用者ＩＤ、端末識別子、トランザクションＩＤ、デバイスＩＤ、デバイス名、閲覧対象ファイル名、リクエストタイプを含む。
【００２５】
図７は、配信サーバのサーバ処理（１）についてのフローチャートである。
配信サーバ０１０５は、閲覧要求メッセ―ジ０７０１を受信する（０２２４）。配信サーバ０１０５は、閲覧対象ファイル名と利用者情報等を含む閲覧要求メッセージ０７０１内の情報に、利用者管理テーブル０３０３から得た、利用者管理情報の他の情報及びセッション情報の他の情報を適宜合わせて配信要求メッセージ０７０３を作成し（０７０２）、トランスコード機能提供サーバ０１０６へトランスコード要求０２２５として配信要求メッセージ０７０３を通知する（０２２５）。なお、閲覧要求メッセージ０７０１に予め利用者管理情報の他の情報及びセッション情報の他の情報を適宜含めておいて、利用者管理テーブル０３０３を参照しないようにしてもよい。
【００２６】
図２１は、配信要求メッセージのフォーマットである。
配信要求メッセージ０７０３は、利用者ＩＤ、端末識別子、契約タイプ、トランザクションＩＤ、セッション鍵、セッション鍵有効期限、デバイスＩＤ、デバイス名、閲覧対象ファイル名、リクエストタイプを含む。
利用者情報には、一例として、利用者管理テーブル０３０３から取得した契約タイプ情報も合わせて通知することができる。契約タイプは、例えば、ホームネットワークを利用する一般ユーザと、法人ネットワークを利用する法人ユーザがある。配信サーバ０１０５は、例えば、一般ユーザの場合は、利用者の移動体クライアント（再生端末）０１１０を配信先とし、コンテンツをユニキャストで配信することができる。例えば、法人ユーザの場合は、配信サーバ０１０５は、予め登録された複数の移動体クライアント０１１０に対してマルチキャストで配信することができる。例えば、法人ユーザの場合、利用者ＩＤは、法人単位で一意であり、パスワードによって個人を識別し、接続している移動体クライアント０１１０全てに対して、配信サーバ０１０５は、映像を配信することができる。図１１の利用者管理テーブル０３０３の例では、項番３、４が法人ユーザである。この利用者ＩＤの移動体クライアント０１１０が接続してきた場合がこれに該当する。また、マルチキャストで配信する場面としては、例えば、法人で拠点の異なる利用者で同じ映像を閲覧する場合などである。
【００２７】
図９は、トランスコード機能提供サーバ処理についてのフローチャートである。
トランスコード機能提供サーバ０１０６は、ステップ０２１１で予めクライアント種別管理サーバ０１０４から利用者の移動体クライアント（再生端末）０１１０に適したトランスコードに必要なファイル形式や解像度のトランスコード情報をトランスコード情報通知メッセージ０６０６（図１５参照）として取得している（図６、０２１１参照）。この際、該当のトランスコード処理をスタンバイ状態としてトランスコード機能提供サーバ０１０６の中でタスク管理される（０９０１）。
トランスコード機能提供サーバ０１０６は、配信サーバ０１０５からのトランスコード要求０２２５により配信要求メッセージ０７０３を受信する（０２２５）。トランスコード機能提供サーバ０１０６は、トランスコード情報通知メッセ―ジ０６０６が受信済であるか判定する（０９０１）。トランスコード情報通知メッセ―ジが受信済でない場合、トランスコード機能提供サーバ０１０６は、ステップ０２３２の処理を行う。受信済である場合は、トランスコード機能提供サーバ０１０６は、スタンバイ状態のタスクを実行する。スタンバイ状態では、トランスコード機能提供サーバ０１０６は、トランスコード情報通知メッセージ０６０６のトランザクションＩＤをもとにネットワークを介して予め外部記憶装置０１１７へ接続している。
トランスコード機能提供サーバ０１０６は、配信サーバ０１０５からトランスコード要求を受信（０２２５）後、対象コンテンツにアクセス可能と判定した場合（０９０２）、ステップ０２２５（図６、０２１１）で取得したトランスコード情報通知メッセージ０６０６（又は、クライアント種別管理テーブル０６０４）をもとに映像フォーマットや解像度のトランスコード情報を取得し（０９０３）、これら情報を含むトランスコード処理コマンドを生成する（０９０４）。トランスコード機能提供サーバ０１０６は、暗号化・復号化Ｇ／Ｗ（２）０１１２及び暗号化・復号化Ｇ／Ｗ（３）０１１３を介し、外部記憶装置０１１７に記憶された閲覧対象ファイル名の閲覧対象コンテンツを受信し、ステップ０９０４で準備しておいたトランスコード処理コマンドを、受信した閲覧対象コンテンツに対して実行する（０２２８）。トランスコード機能提供サーバ０１０６は、実行結果を含む結果送信メッセージ０８０１と変換後データを随時トランスコード応答として、配信サーバ０１０５へ送信する（０２３２）。変換後データは、移動体クライアント（再生端末）０１１０に適した映像フォーマットとして移動体クライアント（再生端末）０１１０上で再生・閲覧される。
【００２８】
図２２は、結果送信メッセージのフォーマットである。
結果送信メッセージ０８０１は、利用者ＩＤ、端末識別子、契約タイプ、トランザクションＩＤ、セッション鍵、セッション鍵有効期限、デバイスＩＤ、デバイス名、閲覧対象ファイル名、リクエストタイプ、実行結果、及び、変換後データ（変換後コンテンツ）を含む。
図８は、配信サーバのサーバ処理（２）についてのフローチャートである。
配信サーバ０１０５は、トランスコード機能提供サーバ０１０６から結果送信メッセージ０８０１を受信する（０２３２）。
配信サーバ０１０５は、配信要求メッセージ０７０３に含まれる利用者ＩＤの移動体クライアント０１１０へ、暗号化・復号化Ｇ／Ｗ（２）０１１２、暗号化・復号化Ｇ／Ｗ（１）０１１１を介しコンテンツ（変換後データ）を配信する（０２３３、０２３４、０２３５）。コンテンツの配信中は、配信サーバ０１０５は、適宜結果送信メッセージ０８０１の実行結果を利用者認証サーバ０１０２へ通知する（０８０２）。なお、配信サーバ０１０５は、コンテンツの配信の実効結果（進捗率）を求め、結果送信メッセージ０８０１に含めることができる。
【００２９】
図４は、利用者認証サーバ処理（２）についてのフローチャートである。
結果送信メッセージ０８０１の進捗率が１００％となりコンテンツの配信終了後、移動体クライアント（再生端末）０１１０からセッション／コンテンツ閲覧終了通知が暗号化・復号化Ｇ／Ｗ（１）０１１１、暗号化・復号化Ｇ／Ｗ（２）０１１２を介し利用者認証サーバ０１０２へ送信される（０２３６、０２３７、０２３８）。もしくは、セッション有効期限切れとなり、移動体クライアント（再生端末）０１１０から利用者認証サーバ０１０２へセッション／コンテンツ閲覧終了通知が送信される（０２３６、０２３７、０２３８）。その終了通知を受信した利用者認証サーバ０１０２は、終了通知を行った移動体クライアント０１１０の利用者識別情報０３０１を元に利用者管理テーブル０３０３の該当レコードを検索し（０４０１）、情報があるか判定する。情報がない場合、利用者認証サーバ０１０２は、ステップ０２４０の処理を行う。情報がある場合、利用者認証サーバ０１０２は、利用者管理テーブル０３０３から情報を取得する（０２３８）。
【００３０】
図２３は、配信終了時の利用要求メッセージのフォーマットである。
利用者認証サーバ０１０２は、利用要求メッセージ０３０４を、リクエストタイプをコンテンツの配信終了の場合は「終了」、もしくはセッション有効期限切れの場合は「切断」として生成する（０２３９）。生成した利用者要求メッセージ０３０４を利用者認証サーバ０１０２は、デバイス管理サーバ０１０３、クライアント種別管理サーバ０１０４、配信サーバ０１０５、トランスコード機能提供サーバ０１０６へ送信する（０２３９）。
送信後、利用者認証サーバ０１０２は、利用者管理テーブル０３０３のリクエストタイプ接続終了日時、ステータス、利用回数などを更新する（０２４０）。更新後、利用者認証サーバ０１０２は、暗号化・復号化Ｇ／Ｗ（２）０１１２、暗号化・復号化Ｇ／Ｗ（１）０１１１を介し移動体クライアント（再生端末）０１１０へ閲覧終了応答を送信する（０２４１、０２４２、０２４３）。
【００３１】
３．変形例
以上では、主に映像ファイルを例に説明したが、本発明及び本実施例は、これに限らず、画像、音楽、データ等の適宜のコンテンツに適用することができる。
また、本実施例では、再生対象の映像ファイルが保存されている記憶装置が、個人のホームネットワーク上および法人ネットワーク上の外部記憶装置である場合について説明したが、これに限定されず、オンラインストレージ０１０７内に保存されている映像ファイルもトランスコード対象のコンテンツとして扱うことが出来る。図５のデバイス管理サーバ処理において、デバイス管理テーブル０５０２からデバイス情報（外部記憶装置一覧情報）を取得する（０５０１）際、デバイス種別がオンラインストレージ装置０１０７の場合、オンラインストレージ装置０１０７内のデータ一覧がデバイス接続応答メッセージにより取得される（０２１５、０２１８）。
課金処理は、利用者が予めデバイス管理テーブルに登録している外部記憶装置の個数の他に、契約タイプによる閉域網の契約内容をもとに定額で利用出来る。
【００３２】
Ｃ．実施例の効果
本実施例は、個人もしくは法人が所有している外部記憶装置から再生端末に適したファイルフォーマット及び解像度へオンライントランスコードすることで利用者は、事前の変換作業の手間が無く外部記憶装置から直接ファイルへアクセス出来る。また、本実施例によると、セキュアな閉域網を利用することで広域網に比べセキュリティおよび通信速度が向上し利用者の利便性に繋がる。現在、スマートフォン利用拡大に伴い、広域網での通信速度の確保が課題となっているが、本実施例によると、安価でセキュアな閉域網を映像ファイル閲覧で提供することで帯域使用量の緩和に繋がる他、閉域網の利用者獲得に繋がることが期待できる。また、オンラインストレージ内に既に保存しているデータに対しても再生端末に適したファイルフォーマット及び解像度へ変換するため、既に具備している利用者管理や認証の仕組み、オンラインストレージ設備を利用できる他にサービス拡大も期待出来る。
【００３３】
Ｄ．付記
なお、本発明は上記した実施例に限定されるものではなく、様々な変形例が含まれている。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００３４】
０１０１：解像度調整配信提供基盤、０１０２：利用者認証サーバ、０１０３：デバイス管理サーバ、０１０４：クライアント種別管理サーバ、０１０５：配信サーバ、０１０６：トランスコード機能提供サーバ
【図１】
2015018318.tif 000003
【図２Ａ】
2015018318.tif 000004
【図２Ｂ】
2015018318.tif 000005
【図３】
2015018318.tif 000006
【図４】
2015018318.tif 000007
【図５】
2015018318.tif 000008
【図６】
2015018318.tif 000009
【図７】
2015018318.tif 000010
【図８】
2015018318.tif 000011
【図９】
2015018318.tif 000012
【図１０】
2015018318.tif 000013
【図１１】
2015018318.tif 000014
【図１２】
2015018318.tif 000015
【図１３】
2015018318.tif 000016
【図１４】
2015018318.tif 000017
【図１５】
2015018318.tif 000018
【図１６】
2015018318.tif 000019
【図１７】
2015018318.tif 000020
【図１８】
2015018318.tif 000021
【図１９】
2015018318.tif 000022
【図２０】
2015018318.tif 000023
【図２１】
2015018318.tif 000024
【図２２】
2015018318.tif 000025
【図２３】
2015018318.tif 000026
【図２４】
2015018318.tif 000027